(57)【特許請求の範囲】
【請求項１】
配送物に取り付けられる配送伝票において、
配送の依頼主から前記配送物を預かった後に前記配送伝票から切り離されて前記依頼人に手渡される依頼主控票と、
荷受人が前記配送物を受け取った後に前記配送伝票から切り離されて配送業者が持ち帰る配達票とを備え、
前記配達票には、非接触型のＩＣモジュールと、該ＩＣモジュールに接続され且つ初期的に通信無効状態に設定されたアンテナとが取り付けられ、
前記アンテナは、前記依頼主控票が前記配送伝票から切り離されることによって通信無効状態から通信有効状態に設定されるように構成され、
前記依頼主控票の切り離しにより通信有効状態に設定された前記アンテナおよび前記ＩＣモジュールは、前記配達票とともに前記配送伝票から切り離され、
前記配達票には、切断用のミシン目が形成され、
前記配達票の表面において前記ミシン目の一方の側には、前記依頼主控票の裏面の一部との貼り合わせ領域が形成され、
前記配達票の裏面において前記ミシン目の他方の側には、前記アンテナを構成する一対の導電線路が形成され、且つ前記一対の導電線路に接続されるように前記ＩＣモジュールが貼着され、
前記一対の導電線路のうちの一方の導電線路と他方の導電線路とを結ぶ第３の導電線路が前記ミシン目を越えて形成され、
前記依頼主控票の切り離しの際に、前記配達票のうち前記ミシン目の一方の側が前記依頼主控票とともに切り離され、前記第３の導電線路が破断されることによって前記一対の導電線路は通信有効状態に変化し、
前記一対の導電線路は、カーボンインクにより形成され、前記配達票の直ぐ下に配置された帳票への複写用バックカーボンを構成していることを特徴とする、ＩＣモジュール付きの配送伝票。
【請求項２】
前記配達票の裏面の周辺部と前記配達票の直ぐ下に配置された帳票の表面の周辺部とが比較的弱い接着剤により接着されていることを特徴とする請求項１に記載の配送伝票。
【請求項３】
前記依頼主控票の裏面および前記配達票の表面にはノーカーボンインクが塗布されていることを特徴とする請求項１または２に記載の配送伝票。
【請求項４】
請求項１乃至３のいずれか１項に記載の配送伝票を用いた配送方法において、
前記依頼主から前記配送物を預かった後に前記配送伝票から前記依頼主控票を切り離して、前記アンテナを通信無効状態から通信有効状態に設定し、
通信有効状態に設定された前記アンテナを介して、前記配送物に関する所要の情報を前記ＩＣモジュールに書き込み、
前記ＩＣモジュールに書き込まれた情報に基づいて、前記配送物を仕分けするとともに配送し、
前記配送物を荷受人に届けた後に、通信有効状態に設定された前記アンテナおよび前記ＩＣモジュールを前記配達票とともに持ち帰ることを特徴とする配送方法。
【発明の詳細な説明】
【０００１】
【発明の属する技術分野】
本発明は、ＩＣモジュール付きの配送伝票および該配送伝票を用いた配送方法に関する。さらに詳細には、本発明は、配送物の配送に関連して使用される配送伝票に対してＩＣモジュールを搭載する技術に関するものである。
【０００２】
【従来の技術】
この種の配送伝票は複数の帳票からなり、最上位に配置された帳票に記載された情報がその下に配置された各帳票に同時複写されるように構成されている。そして、配送業者が配送の依頼主から配送物を預かった時点で依頼主控票が配送伝票から切り離され、切り離された依頼主控票は依頼主に手渡される。また、配送業者が荷受人に配送物を届けた時点で配達票が配送伝票から切り離され、切り離された配達票を配送業者が持ち帰ることになる。
【０００３】
【発明が解決しようとする課題】
一般に、この種の配送伝票では、ある程度の情報量を正確に且つ迅速に処理することが求められる。そこで、従来の配送伝票に対して、アンテナの接続された非接触型のＩＣモジュール（ＩＣチップ）を搭載することが考えられる。
【０００４】
しかしながら、通信可能状態（すなわち通信有効状態）のアンテナに接続されたＩＣモジュールをそのまま配送伝票に搭載した場合、リーダ・ライタ（読み取り・書き込み機）の近くに使用前の配送伝票が載置（あるいは保管）されていると、混信による誤動作の原因になる可能性がある。将来、リーダ・ライタの通信距離が向上した場合、上述の混信による誤動作の起こる可能性はさらに増大することが考えられる。
【０００５】
本発明は、前述の課題に鑑みてなされたものであり、混信による誤動作を起こすことのない信頼性の高い、ＩＣモジュール付きの配送伝票および該配送伝票を用いた配送方法を提供することを目的とする。
【０００６】
【課題を解決するための手段】
前記課題を解決するために、本発明では、配送物に取り付けられる配送伝票において、
配送の依頼主から前記配送物を預かった後に前記配送伝票から切り離されて前記依頼人に手渡される依頼主控票と、
荷受人が前記配送物を受け取った後に前記配送伝票から切り離されて配送業者が持ち帰る配達票とを備え、
前記配達票には、非接触型のＩＣモジュールと、該ＩＣモジュールに接続され且つ初期的に通信無効状態に設定されたアンテナとが取り付けられ、
前記アンテナは、前記依頼主控票が前記配送伝票から切り離されることによって通信無効状態から通信有効状態に設定されるように構成され、
前記依頼主控票の切り離しにより通信有効状態に設定された前記アンテナおよび前記ＩＣモジュールは、前記配達票とともに前記配送伝票から切り離され、
前記配達票には、切断用のミシン目が形成され、
前記配達票の表面において前記ミシン目の一方の側には、前記依頼主控票の裏面の一部との貼り合わせ領域が形成され、
前記配達票の裏面において前記ミシン目の他方の側には、前記アンテナを構成する一対の導電線路が形成され、且つ前記一対の導電線路に接続されるように前記ＩＣモジュールが貼着され、
前記一対の導電線路のうちの一方の導電線路と他方の導電線路とを結ぶ第３の導電線路が前記ミシン目を越えて形成され、
前記依頼主控票の切り離しの際に、前記配達票のうち前記ミシン目の一方の側が前記依頼主控票とともに切り離され、前記第３の導電線路が破断されることによって前記一対の導電線路は通信有効状態に変化し、
前記一対の導電線路は、カーボンインクにより形成され、前記配達票の直ぐ下に配置された帳票への複写用バックカーボンを構成していることを特徴とする、ＩＣモジュール付きの配送伝票を提供する。
【０００８】
本発明の好ましい態様によれば、前記配達票の裏面の周辺部と前記配達票の直ぐ下に配置された帳票の表面の周辺部とが比較的弱い接着剤により接着されていることが好ましい。また、前記依頼主控票の裏面および前記配達票の表面にはノーカーボンインクが塗布されていることが好ましい。
【０００９】
また、本発明の別の局面によれば、上述の配送伝票を用いた配送方法において、
前記依頼主から前記配送物を預かった後に前記配送伝票から前記依頼主控票を切り離して、前記アンテナを通信無効状態から通信有効状態に設定し、
通信有効状態に設定された前記アンテナを介して、前記配送物に関する所要の情報を前記ＩＣモジュールに書き込み、
前記ＩＣモジュールに書き込まれた情報に基づいて、前記配送物を仕分けするとともに配送し、
前記配送物を荷受人に届けた後に、通信有効状態に設定された前記アンテナおよび前記ＩＣモジュールを前記配達票とともに持ち帰ることを特徴とする配送方法を提供する。
【００１０】
【発明の実施の形態】
一般に、配送業者は、配送の依頼主から配送物を預かった後、配送伝票から依頼主控票を切り離し、切り離した依頼主控票を依頼人に手渡す。また、配送業者は、荷受人に配送物を届けた後、配送伝票から配達票を切り離し、切り離した配達票を持ち帰る。
本発明では、非接触型のＩＣモジュールが配達票に取り付けられ、このＩＣモジュールには初期的に通信無効状態に設定されたアンテナが接続されている。また、アンテナは、依頼主控票が配送伝票から切り離されることによって通信無効状態から通信有効状態に設定されるように構成されている。さらに、依頼主控票の切り離しにより通信有効状態に設定されたアンテナおよびＩＣモジュールは、配達票とともに配送伝票から切り離される。
【００１１】
具体的な一態様によれば、配達票には切断用のミシン目が形成され、配達票の表面においてミシン目の一方の側には依頼主控票の裏面の一部との貼り合わせ領域が形成されている。また、配達票の裏面においてミシン目の他方の側（すなわち貼り合わせ領域の裏面を除く領域）には、アンテナを構成する一対の導電線路が形成され、この一対の導電線路に接続されるようにＩＣモジュールが貼着されている。さらに、一対の導電線路のうちの一方の導電線路と他方の導電線路とを結ぶ第３の導電線路が、ミシン目を越えて形成されている。したがって、この状態において、一対の導電線路は第３の導電線路を介して導通状態となっており、一対の導電線路から構成されたアンテナは通信無効状態（通信不可能状態）に設定されている。
【００１２】
一方、依頼主から配送物を預かった後に配送伝票から依頼主控票を切り離すと、配達票の一部分、すなわちミシン目の一方の側（依頼主控票の裏面の一部との貼り合わせ領域）が依頼主控票とともに切り離される。その結果、ミシン目を越えて形成された第３の導電線路が破断され、一対の導電線路の導通状態が遮断されるので、アンテナは通信無効状態から通信有効状態（通信可能状態）に変化する。また、通信有効状態に変化したアンテナおよびＩＣモジュールはともにミシン目の他方の側に形成されているので、荷受人に配送物を届けた後に配送伝票から配達票を切り離すと、アンテナおよびＩＣモジュールは必然的に配達票とともに配送伝票から切り離される。
【００１３】
こうして、本発明の配送伝票を用いた配送方法では、依頼主から配送物を預かった後に、配送伝票から依頼主控票を切り離し、アンテナを通信無効状態から通信有効状態に設定する。そして、通信有効状態に設定されたアンテナを介して、配送物に関する所要の情報をＩＣモジュールに書き込む。配送物は、ＩＣモジュールに書き込まれた情報に基づいて、仕分けされるとともに配送される。配送業者は、配送物を荷受人に届けた後に、通信有効状態に設定されたアンテナおよびＩＣモジュールを配達票とともに持ち帰る。
【００１４】
以上のように、本発明の配送伝票では、使用前の状態において、具体的には配送伝票から依頼主控票を切り離す前の状態において、ＩＣモジュールのアンテナが通信無効状態に設定されている。したがって、たとえばハンディ端末の形態をしたリーダ・ライタの近くに使用前の配送伝票を載置（あるいは保管）していても、混信による誤動作の原因になる可能性がない。換言すると、本発明では、混信による誤動作を起こすことのない、信頼性の高い、ＩＣモジュール付きの配送伝票を実現することができる。
【００１５】
また、本発明の配送伝票では、依頼主控票の切り離しにより通信有効状態に設定されたアンテナおよびＩＣモジュールを、配達票とともに配送伝票から切り離して持ち帰ることができる。したがって、持ち帰った配達票に貼付されたＩＣモジュールから配送履歴に関する情報などを読み出し、これらの情報を有効に管理し且つ活用することができる。また、荷受人に届けられた配送物にアンテナおよびＩＣモジュールが残存することがないので、残存ＩＣモジュールに起因する誤発信および誤動作を未然に回避することができる。さらに、アンテナおよびＩＣモジュールが廃棄されることなく配送業者が持ち帰って保管するので、いわゆる環境面にやさしい、ＩＣモジュール付きの配送伝票を実現することができる。
【００１６】
本発明の実施例を、添付図面に基づいて説明する。
図１は、本発明の実施例にかかるＩＣモジュール付きの配送伝票の構成を概略的に示す図であって、配送伝票を構成する各帳票の表面の構成を示している。また、図２は、図１に対応する図であって、配送伝票を構成する各帳票の裏面の構成を示している。さらに、図３は、配送伝票を構成する各帳票の断面の構成を示す図であって、（ａ）は個別的に構成された各帳票を示し、（ｂ）は一体的に構成された３つの帳票を示している。
【００１７】
図１〜図３に示すように、本実施例の配送伝票１は、３つの矩形状の帳票、すなわち依頼主控票（お客様控票）２と、配達票（運賃請求票）３と、送付票（送り状）４とから構成されている。
依頼主控票２は、配送伝票１の最も上側（最上位）に配置された帳票であって、ノーカーボン紙から構成されている。すなわち、依頼主控票２は、その裏面の全体に亘ってノーカーボンインク２ａが塗布され、ノーカーボン上紙を構成している。一方、依頼主控票２の表面には、配送物に関わる情報を記載するための各種の情報欄が設けられている。
【００１８】
図１を参照すると、依頼主控票２の表面において図中左側には、荷受人の欄１１と、荷送人の欄１２とが設けられている。ここで、荷受人の欄１１は、配送物を受け取るべき荷受人の住所および氏名を記載するための欄である。また、荷送人の欄１２は、配送物の配送を依頼する荷送人の住所および氏名を記載するための欄である。なお、荷受人の欄１１の上方には、当該帳票が依頼主の控え伝票であることを示す「お客様控」の印刷記載が設けられている。
【００１９】
また、依頼主控票２の表面において図中右側には、品名の欄１３と、集荷店コードの欄１４と、着店コードの欄１５と、発送日の欄１６と、荷受印の欄１７と、個数の欄１８と、重量の欄１９と、伝票番号の欄２０とが設けられている。
ここで、品名の欄１３は、配送物の品名および荷姿などの情報を記載するための欄である。また、集荷店コードの欄１４は、依頼主から配送すべき配送物を預かった集荷店（たとえばコンビニエンスストアなどの代理店も含む）のコードを記載するための欄である。
【００２０】
さらに、着店コードの欄１５は、荷受人の住所に近接した最終配送センターのコードを記載するための欄である。また、発送日の欄１６は、配送物の発送日（通常は依頼主から配送すべき配送物を預かった日）を記載するための欄である。さらに、荷受印の欄１７は、依頼主から配送すべき配送物を預かったことを確認するための受領印を押すための欄である。また、個数の欄１８は、配送物の個数を記載するための欄である。さらに、重量の欄１９は、配送物の重量および容積を記載するための欄である。また、伝票番号の欄２０には、当該配送伝票を識別するためのシリアル番号および対応するバーコードが印刷記載されている。なお、配達票３および送付票４では、このバーコードの図示を省略している。
【００２１】
配達票３は、配送伝票１の中間（中間位）に配置された帳票であって、ノーカーボン紙から構成されている。すなわち、配達票３は、その表面の全体に亘ってノーカーボンインク３ａが塗布され、ノーカーボン下紙を構成している。また、配達票３の表面には、依頼主控票２の表面に設けられた各種の情報欄１１〜２０に対応する各種の情報欄１１ａ〜２０ａが設けられている。このように、配達票３の表面における印刷記載は、依頼主控票２の表面における印刷記載とほぼ一致している。しかしながら、依頼主控票２では荷受人の欄１１の上方に「お客様控」の印刷記載が設けられているのに対し、配達票３では荷受人の欄１１ａの上方に「運賃請求票」の印刷記載が設けられている点が相違している。
【００２２】
また、図１を参照すると、配達票３の左端辺３ｂから所定間隔を隔てて切断用のミシン目３１が鉛直方向に沿って形成されている。このミシン目３１よりも左側の領域は依頼主控票２との貼り合わせ領域３２であって、この貼り合わせ領域３２に塗布された接着剤３３の作用により依頼主控票２の裏面の一部と配達票３の表面の一部とが貼着される（図３参照）。
【００２３】
なお、図１および図３に示すように、接着剤３３の作用により依頼主控票２と配達票３とが貼り合わされた状態において、依頼主控票２の左端辺２ｂ、上端辺２ｃおよび下端辺２ｄと、配達票３の左端辺３ｂ、上端辺３ｃおよび下端辺３ｄとがほぼ一致するように構成されている。一方、配達票３の右端辺３ｅは、依頼主控票２の右端辺２ｅよりも右側へ突出するように構成されている。
【００２４】
一方、図２を参照すると、配達票３の裏面において、ミシン目３１よりも左側の領域（すなわち貼り合わせ領域３２の裏面を除く領域）には、全体的に水平に延びた一対の導電線路３４および３５がカーボンインクにより形成されている。そして、一対の導電線路３４と３５との間に、非接触型のＩＣモジュール（すなわちＩＣチップ）３６が接続されている。すなわち、ＩＣモジュール３６の一方の端子に第１の導電線路３４が接続され、ＩＣモジュール３６の他方の端子に第２の導電線路３５が接続されている。なお、ＩＣモジュール３６は非常に薄形の素子であって、各導電線路３４および３５の形成工程の後に、適当な接着剤により配達票３の裏面に貼着される。
【００２５】
ここで、一対の導電線路３４および３５は、ＩＣモジュール３６のアンテナを構成するとともに、送付票４への複写用のバックカーボンも構成するように形成されている。すなわち、第１の導電線路３４が荷受人の欄１１ａおよび品名の欄１３ａに対応する領域に形成され、第２の導電線路３５がその他の情報欄１２ａおよび１４ａ〜１９ａに対応する領域に形成されている。
【００２６】
また、配達票３の裏面には、一対の導電線路３４と３５とを結ぶ第３の導電線路３７が、たとえばカーボンインクにより形成されている。この導電線路３７の一部は、切断用ミシン目３１を越えて貼り合わせ領域３２の裏面に形成されている。このように、第３の導電線路３７は、その初期状態において一対の導電線路３４と３５とを導通（短絡：ショート）させている。その結果、ＩＣモジュール３６のアンテナの機能は、ひいてはＩＣモジュール３６の機能は、初期的に通信無効な状態に設定されている。
【００２７】
さらに、配達票３の裏面の周辺部には、送付票４との貼り合わせ用の接着剤３８が塗布されている。接着剤３８は、配達票３の裏面の周辺部と送付票４の表面の周辺部とを比較的弱い接着力で貼り合わせる作用を有する。この構成により、ＩＣモジュール３６およびそのアンテナ３４および３５が外部から良好に保護される。
【００２８】
送付票４は、配送伝票１の最も下側（最下位）に配置された帳票であって、裏面がタック紙加工されている。すなわち、送付票４の裏面には剥離紙４ａが設けられ、この剥離紙４ａを剥がすことにより、送付票４を、ひいては送付票４と一体化された配送伝票１を配送物に貼付することができるように構成されている。
【００２９】
また、送付票４の表面には、依頼主控票２の表面に設けられた各種の情報欄１１〜２０に対応する各種の情報欄１１ｂ〜２０ｂが設けられている。このように、送付票４の表面における印刷記載は、依頼主控票２の表面における印刷記載および配達票３の表面における印刷記載とほぼ一致している。しかしながら、依頼主控票２では荷受人の欄１１の上方に「お客様控」の印刷記載が設けられているのに対し、送付票４では荷受人の欄１１ｂの上方に「送り状」の印刷記載が設けられている点、および送付票４には依頼主控票２や配達票３とは異なり荷受印の欄が設けられていない点が相違している。
【００３０】
また、図１を参照すると、送付票４の左端辺４ｂから所定間隔を隔てて切断用のミシン目４１が鉛直方向に沿って形成されている。この切断用ミシン目４１よりも左側の領域は配達票３との貼り合わせ領域４２であって、この貼り合わせ領域４２に塗布された接着剤４３の作用により配達票３の裏面の一部と送付票４の表面の一部とが貼着される（図３参照）。
【００３１】
なお、図１および図３に示すように、接着剤４３の作用により配達票３と送付票４とが貼り合わされた状態において、配達票３の切断用ミシン目３１と送付票４の左端辺４ｂとがほぼ一致し、且つ配達票３の上端辺３ｃ、下端辺３ｄおよび右端辺３ｅと、送付票４の上端辺４ｃ、下端辺４ｄおよび右端辺４ｅとがほぼ一致するように構成されている。また、送付票４の貼り合わせ領域４２が配達票３の裏面に貼着されたＩＣモジュール３６を覆うように構成されている。
【００３２】
以下、上述のように構成された配送伝票１の使用態様について説明する。
配送の依頼主（荷主）は、依頼主控票２の荷受人の欄１１に荷受人の住所および氏名を記載するとともに、荷送人の欄１２に自分の住所および氏名を記載する。荷受人の欄１１および荷送人の欄１２に記載された住所および氏名は、依頼主控票２の裏面および配達票３の表面に塗布されたノーカーボンインクの作用により配達票３の荷受人の欄１１ａおよび荷送人の欄１２ａに複写されるとともに、配達票３の裏面に形成された導電線路３４および３５の複写用バックカーボン作用により送付票４の荷受人の欄１１ｂおよび荷送人の欄１２ｂに複写される。
【００３３】
上述の氏名および住所を記載した依頼主は、送付票４の裏面の剥離紙４ａを剥がして配送伝票１を配送物に貼り付け、配送物を集荷店へ持ち込む。集荷店では、配送業者が、依頼主控票２の品名の欄１３〜発送日の欄１６並びに個数の欄１８および重量の欄１９に所要の事項を記載するとともに、荷受印の欄１７に受領印を押す。次いで、配送業者は、依頼主控票２を配送伝票１から切り離し、切り離した依頼主控票２を依頼主に手渡す。なお、上述したように、配達票３の右端辺３ｅが依頼主控票２の右端辺２ｅよりも右側へ突出しているので、依頼主控票２の切り離し動作は容易である。
【００３４】
このとき、依頼主控票２は、配達票３に形成された切断用ミシン目３１に沿って配達票３から分離される。すなわち、依頼主控票２は、配達票３の貼り合わせ領域３２が貼着した状態で切り離される。したがって、配達票３の裏面に形成された第３の導電線路３７が破断され、その結果、一対の導電線路３４と３５との導通状態が遮断される。こうして、依頼主控票２を配送伝票１から切り離すことにより、ＩＣモジュール３６のアンテナが、ひいてはＩＣモジュール３６が初めて通信有効（通信可能）な状態に設定される。そこで、配送業者は、所定の専用ハンディ端末を用いて、伝票番号、集荷店コード、着店コード、発送日、品名、個数、重量などの各情報を必要に応じてＩＣモジュール３６に書き込む。
【００３５】
その後、配送物は、所定の集荷トラックに積み込まれ、所定の集荷センターへ搬送される。集荷センターでは、仕分けライン上において配送物の配送伝票１に搭載されたＩＣモジュール３６から着店コードに関する情報を読み取り、読み取った情報に基づいて発送口方面別の自動仕分けを行う。また、仕分けライン上では、配送物の配送伝票１に搭載されたＩＣモジュール３６から伝票番号などを含む他の必要な情報を読み取り、読み取った情報を仕分け時間などの情報とともにホストシステムへ転送する。ホストシステムへ転送されて登録された情報は、配送状況の問い合わせなどへの応答に際して活用される。
【００３６】
発送口方面別に自動仕分けされた配送物は、所定方面へのトラックに積み込まれ、着店コードに対応する所定の最終集荷センターへ搬送される。最終集荷センターでは、仕分けライン上において配送物の配送伝票１に記載された荷受人の住所に基づいて配送地区別の自動仕分けを行う。また、仕分けライン上では、配送物の配送伝票１に搭載されたＩＣモジュール３６から伝票番号の情報を読み取り、読み取った伝票番号の情報に関連付けて仕分け時間などの情報をホストシステムへ転送する。
【００３７】
配送地区別に自動仕分けされた配送物は、所定の配送トラックに積み込まれ、荷受人に届けられる。配送業者は、配達票３の荷受印の欄１７ａに荷受人の受領印を押してもらった後、配達票３を配送伝票１から切り離し、切り離した配達票３を持ち帰る。このとき、配達票３は、送付票４に形成された切断用ミシン目４１に沿って送付票４から分離される。すなわち、配達票３は、送付票４の貼り合わせ領域４２が貼着した状態で切り離される。
【００３８】
その結果、配送業者は、裏面に貼着されたＩＣモジュール３６が通信有効な状態に設定されたまま、配達票３を持ち帰ることになる。持ち帰った配達票３は、ＩＣモジュール３６から配送履歴に関する必要な情報が読み出された後に、最終センターの内部に保管される。
なお、図１に示すように、送付票４の右上隅部が斜めに切り落とされているので、配達票３の右上隅部３９を把持することは容易であり、配送伝票１からの配達票３の切り離しを円滑に行なうことができる。
【００３９】
以上のように、本実施例では、配送伝票１から依頼主控票２を切り離す前の状態において、ＩＣモジュール３６のアンテナ（３４，３５）が通信無効状態に設定されている。したがって、リーダ・ライタの近くに使用前の配送伝票１を載置（あるいは保管）していても、混信による誤動作の原因になる可能性がない。換言すると、本実施例では、混信による誤動作を起こすことのない、信頼性の高い、ＩＣモジュール付きの配送伝票を実現することができる。
【００４０】
また、本実施例の配送伝票では、依頼主控票の切り離しにより通信有効状態に設定されたアンテナおよびＩＣモジュールを、配達票とともに配送伝票から切り離して持ち帰ることができる。したがって、持ち帰った配達票に貼付されたＩＣモジュールから配送履歴に関する情報などを読み出し、これらの情報を有効に管理し且つ活用することができる。また、荷受人に届けられた配送物にアンテナおよびＩＣモジュールが残存することがないので、残存ＩＣモジュールに起因する誤発信および誤動作を未然に回避することができる。さらに、アンテナおよびＩＣモジュールが廃棄されることなく配送業者が持ち帰って保管するので、いわゆる環境面にやさしい、ＩＣモジュール付きの配送伝票を実現することができる。
【００４１】
なお、上述の実施例では、一対の導電線路３４および３５をカーボンインクにより形成しているが、他の適当な導電性インクを用いて形成することもできるし、他の適当な導電性物質を用いて形成することもできる。ただし、この場合、一対の導電線路３４および３５を複写用バックカーボンとして併用することはできなくなる。
また、上述の実施例では、３つの帳票からなる配送伝票を例にとって本発明を説明したが、帳票の数および種類は上述の実施例に限定されることなく本発明の範囲内において様々な変形例が可能である。
【００４２】
【発明の効果】
以上説明したように、本発明の配送伝票では、使用前の状態において、具体的には配送伝票から依頼主控票を切り離す前の状態において、ＩＣモジュールのアンテナが通信無効状態に設定されている。したがって、たとえばハンディ端末の形態をしたリーダ・ライタの近くに使用前の配送伝票を載置（あるいは保管）していても、混信による誤動作の原因になる可能性がない。換言すると、本発明では、混信による誤動作を起こすことのない、信頼性の高い、ＩＣモジュール付きの配送伝票を実現することができる。
【００４３】
また、本発明の配送伝票では、依頼主控票の切り離しにより通信有効状態に設定されたアンテナおよびＩＣモジュールを、配達票とともに配送伝票から切り離して持ち帰ることができる。したがって、持ち帰った配達票に貼付されたＩＣモジュールから配送履歴に関する情報などを読み出し、これらの情報を有効に管理し且つ活用することができる。また、荷受人に届けられた配送物にアンテナおよびＩＣモジュールが残存することがないので、残存ＩＣモジュールに起因する誤発信および誤動作を未然に回避することができる。さらに、アンテナおよびＩＣモジュールが廃棄されることなく配送業者が持ち帰って保管するので、いわゆる環境面にやさしい、ＩＣモジュール付きの配送伝票を実現することができる。
【図面の簡単な説明】
【図１】本発明の実施例にかかるＩＣモジュール付きの配送伝票の構成を概略的に示す図であって、配送伝票を構成する各帳票の表面の構成を示している。
【図２】図１に対応する図であって、配送伝票を構成する各帳票の裏面の構成を示している。
【図３】配送伝票を構成する各帳票の断面の構成を示す図であって、（ａ）は個別的に構成された各帳票を示し、（ｂ）は一体的に構成された３つの帳票を示している。
【符号の説明】
１    配送伝票
２    依頼主控票
３    配達票
４    送付票
１１    荷受人の欄
１２    荷送人の欄
１３    品名の欄
１４    集荷店コードの欄
１５    着店コードの欄
１６    発送日の欄
１７    荷受印の欄
１８    個数の欄
１９    重量の欄
２０    伝票番号の欄
３１，４１    切断用ミシン目
３２，４２    貼り合わせ領域
３３，４３    接着剤
３４，３５    一対の導電線路
３６    ＩＣモジュール
３７    第３の導電線路
【図１】
0004017294.tif 000002
【図２】
0004017294.tif 000003
【図３】
0004017294.tif 000004